(57)【特許請求の範囲】
【請求項１】
第１方向を向く第１面を備える本体ケーシングと、
前記本体ケーシング外の外方位置と、前記本体ケーシング内に位置する内方位置との間を、前記第１方向と交差する方向に移動可能であり、前記内方位置に位置したときに、前記本体ケーシングに対して前記第１方向において位置決めされるドラムユニットであって、
感光ドラムと、
開口を備えるフレームと、
前記開口を開放する開放位置と、前記開口を閉鎖する閉鎖位置との間を、前記ドラムユニットが移動する方向に延びる軸について回動するように構成されるシャッタであり、シャッタ本体と、前記シャッタ本体から外方に突出する突起部とを備えるシャッタと、
前記シャッタを前記開放位置から前記閉鎖位置に向けて付勢するように構成される付勢部材と、を備えるドラムユニットと、を備え、
前記突起部は、前記シャッタが前記開放位置に位置するとき、前記第１方向と逆方向の第２方向を向き、前記第１面に押される第２面を備えることを特徴とする、画像形成装置。
【請求項２】
前記本体ケーシングは、前記ドラムユニットが前記内方位置から前記外方位置へ向かう第３方向から傾いた方向を向く第３面を備え、
前記突起部は、前記シャッタが前記閉鎖位置に位置するとき、前記第３方向と逆方向の第４方向を向き、前記ドラムユニットが前記外方位置から前記内方位置に移動するときに、前記第３面と干渉する第４面を備えることを特徴とする、請求項１に記載の画像形成装置。
【請求項３】
前記第３方向は、前記第１方向と直交する方向であることを特徴とする、請求項２に記載の画像形成装置。
【請求項４】
前記突起部は、Ｌ字形状であり、前記シャッタが前記閉鎖位置のとき、前記第２面を有し、前記第３方向に延びる第１部と、前記第１部の前記第３方向における上流端から前記第３方向と直交する第５方向に延びる第２部とを備え、
前記第１部と前記第２部との連続部分は、前記第４面を備えることを特徴とする、請求項３に記載の画像形成装置。
【請求項５】
前記第３面は、前記第４方向へ向かうにつれ、前記第５方向に傾斜していることを特徴とする、請求項４に記載の画像形成装置。
【請求項６】
前記本体ケーシングは、前記第１面と前記第３面との間にあり、前記第１面および前記第３面の両方と連続し、前記突起部を前記第３面から前記第１面に案内するガイド面を備え、
前記ガイド面は、
前記第３面と連続し、前記第４方向へ向かうにつれ、前記第５方向に傾斜する第５面と、
前記第５面および前記第１面の両方と連続し、前記第４方向へ向かうにつれ、前記第１方向に傾斜する第６面と
を備えることを特徴とする、請求項５に記載の画像形成装置。
【請求項７】
前記ドラムユニットは、前記内方位置において、前記外方位置から前記本体ケーシング内へ移動した第１内方位置と、前記第１内方位置から前記第５方向に移動した第２内方位置との間を移動可能であることを特徴とする、請求項４〜６のいずれか一項に記載の画像形成装置。
【請求項８】
前記第３面の前記第５方向における寸法は、前記ドラムユニットが前記第１内方位置から前記第２内方位置へ向かうときの前記第５方向における移動量よりも大きいことを特徴とする、請求項７に記載の画像形成装置。
【請求項９】
前記フレームは、前記第３方向に延びる円筒形状であり、
前記シャッタは、前記第３方向に延びる軸線について、前記閉鎖位置と前記開放位置との間を回動可能であることを特徴とする、請求項３〜８のいずれか一項に記載の画像形成装置。
【請求項１０】
前記感光ドラムは、前記第１方向に延びる軸線について回転可能であり、
前記ドラムユニットは、前記感光ドラムの表面上に残留しているトナーを除去するように構成されるクリーニングユニットを備え、
前記フレームは、前記クリーニングユニットと接続される搬送管であり、
前記開口は、排出口であることを特徴とする、請求項１〜９のいずれか一項に記載の画像形成装置。
【請求項１１】
前記付勢部材は、コイルばねであることを特徴とする、請求項１〜１０のいずれか一項に記載の画像形成装置。
【請求項１２】
前記第１面および前記第２面は、平面であることを特徴とする、請求項１〜１１のいずれか一項に記載の画像形成装置。
【請求項１３】
第１方向を向く第１面を備える本体ケーシングに対して、前記本体ケーシング外の外方位置と、前記本体ケーシング内に位置する内方位置との間を、第１方向と交差する方向に移動可能であり、前記内方位置に位置したときに、前記本体ケーシングに対して前記第１方向において位置決めされるドラムユニットであって、
第１感光ドラムと、
第２感光ドラムと、
開口を備えるフレームと、
前記開口を開放する開放位置と、前記開口を閉鎖する閉鎖位置との間を、前記ドラムユニットが移動する方向に延びる軸について回動するように構成されるシャッタであり、シャッタ本体と、前記シャッタ本体から外方に突出する突起部とを備えるシャッタと、
前記シャッタを前記開放位置から前記閉鎖位置に向けて付勢するように構成される付勢部材と
を備え、
前記突起部は、前記シャッタが前記開放位置に位置するとき、前記第１方向と逆方向の第２方向を向き、前記第１面に押される第２面を備えることを特徴とする、ドラムユニット。
【請求項１４】
前記本体ケーシングに対して、前記第１感光ドラムと前記第２感光ドラムとの並び方向に沿って、前記内方位置から前記外方位置へ第３方向に向かって移動し、前記外方位置から前記内方位置へ前記第３方向と逆方向の第４方向に向かって移動するように構成され、
前記突起部は、前記シャッタが前記閉鎖位置に位置するとき、前記第４方向を向き、前記外方位置から前記内方位置に移動するときに、前記本体ケーシング内の前記第３方向から傾いた方向を向く第３面と干渉する第４面を備えることを特徴とする、請求項１３に記載のドラムユニット。
【請求項１５】
前記第３方向は、前記第１方向と直交する方向であることを特徴とする、請求項１４に記載のドラムユニット。
【請求項１６】
前記突起部は、Ｌ字形状であり、前記シャッタが前記閉鎖位置のとき、前記第３方向に延びる第１部と、前記第１部の前記第３方向における上流端から前記第３方向と直交する第５方向に延びる第２部とを備え、
前記第１部は、前記第３面を備え、
前記第１部と前記第２部との連続部分は、前記第４面を備えることを特徴とする、請求項１５に記載のドラムユニット。
【請求項１７】
前記ドラムユニットは、前記内方位置において、前記外方位置から前記本体ケーシング内へ移動した第１内方位置と、前記第１内方位置から前記第５方向に移動した第２内方位置との間を移動可能であることを特徴とする、請求項１６に記載のドラムユニット。
【請求項１８】
前記フレームは、前記第３方向に延びる円筒形状であり、
前記シャッタは、前記第３方向に延びる軸線について、前記閉鎖位置と前記開放位置との間を回動可能であることを特徴とする、請求項１５〜１７のいずれか一項に記載のドラムユニット。
【請求項１９】
前記第１感光ドラムの表面上に残留しているトナーを除去するように構成される第１クリーニングユニットと、前記第２感光ドラムの表面上に残留しているトナーを除去するように構成される第２クリーニングユニットとをさらに備え、
前記第１感光ドラムは、前記第１方向に延びる第１軸線について回転可能であり、
前記第２感光ドラムは、前記第１方向に延びる第２軸線について回転可能であり、
前記フレームは、前記第１クリーニングユニットおよび前記第２クリーニングユニットと接続される搬送管であり、
前記開口は、排出口であることを特徴とする、請求項１３〜１８のいずれか一項に記載のドラムユニット。
【請求項２０】
前記付勢部材は、コイルばねであることを特徴とする、請求項１３〜１９のいずれか一項に記載のドラムユニット。
【請求項２１】
前記第１面および前記第２面は、平面であることを特徴とする、請求項１３〜２０のいずれか一項に記載のドラムユニット。
【発明の詳細な説明】
【技術分野】
【０００１】
本発明は、電子写真方式が採用される画像形成装置、および、その画像形成装置に装着されるドラムユニットに関する。
【背景技術】
【０００２】
電子写真方式の画像形成装置として、イエロー、マゼンタ、シアンおよびブラックの各色に対応する感光ドラムを有する、いわゆるタンデム型の画像形成装置が知られている。
【０００３】
このような画像形成装置として、感光ドラムと、感光ドラムの表面に残留するトナーを除去するためのドラムクリーニング装置とを有するプロセスカートリッジを着脱自在に備える画像形成装置が知られている。
【０００４】
そして、この画像形成装置では、ドラムクリーニング装置によって感光ドラムの表面から除去されたトナーが、シャッタによって開閉される開口から、装置本体の廃トナー搬送装置に受けわたされる構成が知られている（例えば、下記特許文献１参照）。
【先行技術文献】
【特許文献】
【０００５】
【特許文献１】特開２００６−１３９１１０号公報
【発明の概要】
【発明が解決しようとする課題】
【０００６】
しかるに、上記した特許文献１に記載の画像形成装置では、プロセスカートリッジを装置本体に対して位置決めした後に、モータ等の駆動力によって、シャッタを回動させ、開口を開放する。
【０００７】
このとき、シャッタは、プロセスカートリッジが装置本体から離脱する方向に向かって力が加えられ、回動する。そのため、シャッタを開放すると、プロセスカートリッジは、装置本体から離脱する方向に付勢され、プロセスカートリッジを装置本体に対して正確に位置決めしにくくなるという不具合がある。
【０００８】
そこで、本発明の目的は、シャッタを開放位置に位置させることができながら、ドラムユニットを本体ケーシングに対して位置決めすることのできる画像形成装置、および、ドラムユニットを提供することにある。
【課題を解決するための手段】
【０００９】
本発明の画像形成装置は、第１方向を向く第１面を備える本体ケーシングと、本体ケーシング外の外方位置と、本体ケーシング内に位置する内方位置との間を移動可能であり、内方位置に位置したときに、本体ケーシングに対して第１方向において位置決めされるドラムユニットであって、感光ドラムと、開口を備えるフレームと、開口を開放する開放位置と、開口を閉鎖する閉鎖位置との間を回動するように構成されるシャッタであり、シャッタ本体と、シャッタ本体から外方に突出する突起部とを備えるシャッタと、シャッタを開放位置から閉鎖位置に向けて付勢するように構成される付勢部材と、を備えるドラムユニットと、を備え、突起部は、シャッタが開放位置に位置するとき、第１方向と逆方向の第２方向を向き、第１面に押される第２面を備える。
【００１０】
このような構成によれば、シャッタは、ドラムユニットが内方位置に位置したときに、突起部の第２面が本体ケーシングの第１面に押されることにより、開放位置に位置する。また、ドラムユニットは、本体ケーシングに対して第１方向において位置決めされる。
【００１１】
つまり、本体ケーシングの第１面が突起部の第２面を押し、シャッタを開放位置に位置させる方向と、ドラムユニットを本体ケーシングに対して位置決めする方向とが同一である。
【００１２】
そのため、内方位置において、本体ケーシングとの接触により、シャッタを開放位置に位置させることができながら、ドラムユニットを本体ケーシングに対して確実に位置決めすることができる。
【００１３】
また、内方位置において、本体ケーシングとの接触により、シャッタを付勢部材に抗して閉鎖位置から開放位置に移動させると、付勢部材の反力がドラムユニットを本体ケーシングに位置決めする第１方向にかかるので、ドラムユニットを本体ケーシングに対してより確実に位置決めすることができる。
【００１４】
また、本発明のドラムユニットによれば、第１感光ドラムと、第２感光ドラムとを有し、第１方向を向く第１面を備える本体ケーシングに対して、本体ケーシング外の外方位置と、本体ケーシング内に位置する内方位置との間を移動可能であり、内方位置に位置したときに、本体ケーシングに対して第１方向において位置決めされるドラムユニットであって、開口を備えるフレームと、開口を開放する開放位置と、開口を閉鎖する閉鎖位置との間を回動するように構成されるシャッタであり、シャッタ本体と、シャッタ本体から外方に突出する突起部とを備えるシャッタと、シャッタを開放位置から閉鎖位置に向けて付勢するように構成される付勢部材とを備え、突起部は、シャッタが開放位置に位置するとき、第１方向と逆方向の第２方向を向き、第１面に押される第２面を備える。
【００１５】
このような構成によれば、シャッタは、ドラムユニットが内方位置に位置したときに、突起部の第２面が本体ケーシングの第１面に押されることにより、開放位置に位置する。また、ドラムユニットは、本体ケーシングに対して第１方向において位置決めされる。
【００１６】
つまり、本体ケーシングの第１面が突起部の第２面を押し、シャッタを開放位置に位置させる方向と、ドラムユニットを本体ケーシングに対して位置決めする方向とが同一である。
【００１７】
そのため、内方位置において、本体ケーシングとの接触により、シャッタを開放位置に位置させることができながら、ドラムユニットを本体ケーシングに対して確実に位置決めすることができる。
【００１８】
また、内方位置において、本体ケーシングとの接触により、シャッタを付勢部材に抗して閉鎖位置から開放位置に移動させると、付勢部材の反力がドラムユニットを本体ケーシングに位置決めする第１方向にかかるので、ドラムユニットを本体ケーシングに対してより確実に位置決めすることができる。
【発明の効果】
【００１９】
本発明によれば、シャッタを開放位置に位置させることができながら、ドラムユニットを本体ケーシングに対して位置決めすることができる。
【図面の簡単な説明】
【００２０】
【図１】図１は、本発明の一実施形態としての画像形成装置の中央断面図である。
【図２】図２は、図１に示すドラムユニットを右上方から見た斜視図である。
【図３】図３は、図１に示すドラムユニットを左上方から見た斜視図である。
【図４】図４Ａは、図２に示す搬送ユニットを右上方から見た斜視図である。図４Ｂは、図４Ａに示す搬送ユニットに対して、第１位置決め板が取り付けられた状態を示す。図４Ｃは、図４Ｂに示す搬送ユニットおよび第１位置決め板を左下方から見た斜視図である。
【図５】図５Ａは、図４Ａに示す搬送ユニットを右下方から見た斜視図であって、シャッタが閉鎖位置に位置した状態を示す。図５Ｂは、図４Ａに示す搬送ユニットを右下方から見た斜視図であって、シャッタが開放位置に位置した状態を示す。なお、図５Ａおよび図５Ｂでは、便宜的に付勢部材を省略している。
【図６】図６は、図１に示すドラムユニットが本体ケーシングに対して位置決めされている状態を示す正面図である。
【図７】図７は、図６のＡ−Ａ断面図である。
【図８】図８は、図６のＢ−Ｂ断面図である。なお、図８では、感光ドラム、クリーニングユニットおよび第２位置決め板以外の部材を省略している。
【図９】図９は、図６のＣ−Ｃ断面図である。
【図１０】図１０Ａは、図９のＤ−Ｄ断面図である。図１０Ｂは、図９のＥ−Ｅ断面図である。
【図１１】図１１Ａは、図６に示す当接部を左上方から見た斜視図である。図１１Ｂは、図６に示す当接部を左下方から見た斜視図である。
【図１２】図１２Ａおよび図１２Ｂは、図１に示すドラムユニットの本体ケーシングに対する着脱動作を説明するための説明図であって、ドラムユニットが内方位置における第１内方位置に位置した状態を示す。図１２Ｃおよび図１２Ｄは、図１２Ａおよび図１２Ｂに引き続き、図１に示すドラムユニットの本体ケーシングに対する着脱動作を説明するための説明図であって、突起部の湾曲面が当接部の傾斜面に当接した後、第１摺擦面に当接した状態を示す。
【図１３】図１３Ａおよび図１３Ｂは、図１２Ｃおよび図１２Ｄに引き続き、図１に示すドラムユニットの本体ケーシングに対する着脱動作を説明するための説明図であって、突起部の湾曲面が当接部の第１摺擦面に接触し、案内されている状態を示す。図１３Ｃおよび図１３Ｄは、図１３Ａおよび図１３Ｂに引き続き、図１に示すドラムユニットの本体ケーシングに対する着脱動作を説明するための説明図であって、突起部の湾曲面が当接部の第２摺擦面に接触し、案内されている状態を示す。
【図１４】図１４Ａおよび図１４Ｂは、図１３Ｃおよび図１３Ｄに引き続き、図１に示すドラムユニットの本体ケーシングに対する着脱動作を説明するための説明図であって、突起部の湾曲面が当接部の第２摺擦面の左下端部に当接した状態を示す。図１４Ｃおよび図１４Ｄは、図１４Ａおよび図１４Ｂに引き続き、図１に示すドラムユニットの本体ケーシングに対する着脱動作を説明するための説明図であって、ドラムユニットが内方位置における第２内方位置に位置した状態を示す。
【図１５】図１５Ａは、本発明の変形例のプロセスカートリッジが内方位置に位置した常態を後下方から見た斜視図である。図１５Ｂは、図１５Ａに示すプロセスカートリッジの背面図である。
【発明を実施するための形態】
【００２１】
１．画像形成装置の全体構成
図１に示すように、画像形成装置１は、横置きタイプのダイレクトタンデム型カラーレーザプリンタである。
【００２２】
画像形成装置１は、開口２１を有する本体ケーシング２と、プロセスユニット３と、スキャナユニット４と、ベルトユニット５と、定着ユニット６とを備えている。
【００２３】
本体ケーシング２は、略ボックス形状に形成されている。本体ケーシング２は、フロントカバー２２と、給紙トレイ７と、排紙トレイ８とを有している。
【００２４】
開口２１は、本体ケーシング２の前端部に配置されている。開口２１は、プロセスユニット３の通過を許容するように、本体ケーシング２の内外を前後方向に連通している。
【００２５】
フロントカバー２２は、本体ケーシング２の前端部に配置されている。フロントカバー２２は、略平板形状を有している。フロントカバー２２は、上下方向に延び、その下端部を支点として本体ケーシング２の前壁に揺動可能に支持されている。フロントカバー２２は、開口２１を開放または閉鎖するように構成されている。
【００２６】
給紙トレイ７は、本体ケーシング２の底部に配置されている。給紙トレイ７は、用紙Ｐを収容するように構成されている。
【００２７】
排紙トレイ８は、本体ケーシング２の上壁に配置されている。排紙トレイ８は、用紙Ｐが載置されるように、本体ケーシング２の上面から下方へ凹んでいる。
【００２８】
プロセスユニット３は、本体ケーシング２の中央に配置されている。プロセスユニット３は、開口２１を介して、本体ケーシング２内に位置する内方位置と、本体ケーシング２外に位置する外方位置とに、前後方向に沿ってスライド移動可能である。また、プロセスユニット３は、内方位置において、ベルトユニット５から相対的に離れる図１２Ｂに示す第１内方位置と、第１内方位置から下方に移動し、ベルトユニット５と相対的に近づく図１および図１４Ｄに示す第２内方位置との間を移動可能である。プロセスユニット３は、図１に示すように、ドラムユニット９と、複数（４つ）の現像カートリッジ１０とを備えている。
【００２９】
ドラムユニット９は、複数（４つ）の感光ドラム１１と、複数（４つ）のスコロトロン型帯電器１２とを備えている。
【００３０】
感光ドラム１１は、プロセスユニット３の下端部に回転可能に支持されている。４つの感光ドラム１１は、イエロー、マゼンタ、シアン、ブラックに対応している。４つの感光ドラム１１は、前方から後方に向かって、イエロー、マゼンタ、シアン、ブラックの順に互いに間隔を隔てて並列配置されている。感光ドラム１１は、左右方向に延びる略円筒形状を有している。
【００３１】
スコロトロン型帯電器１２は、対応する感光ドラム１１の後上方に間隔を隔てて配置されている。
【００３２】
４つの現像カートリッジ１０は、内部に収容されるトナーの色を除いて、同じ構成である。現像カートリッジ１０は、対応する感光ドラム１１の上方に配置されている。現像カートリッジ１０は、現像ローラ１３と、供給ローラ１４とを備えている。
【００３３】
現像ローラ１３は、現像カートリッジ１０の下端部において、後方へ露出するように回転可能に支持されている。現像ローラ１３は、感光ドラム１１の前上端部に接触している。
【００３４】
供給ローラ１４は、現像ローラ１３の前上方に配置されている。供給ローラ１４は、現像ローラ１３の前上端部に接触している。
【００３５】
スキャナユニット４は、本体ケーシング２の上端部に配置されている。スキャナユニット４は、図１に実線で示すように、感光ドラム１１に向かって、画像データに基づいてレーザービームを出射し、感光ドラム１１を露光する。
【００３６】
ベルトユニット５は、プロセスユニット３の下方に配置されている。ベルトユニット５は、駆動ローラ１５、従動ローラ１６と、ベルト１７と、複数（４つ）の転写ローラ１８とを備えている。
【００３７】
駆動ローラ１５は、ベルトユニット５の後端部に配置されている。
【００３８】
従動ローラ１６は、駆動ローラ１５の前方に間隔を隔てて対向配置されるように、ベルトユニット５の前端部に配置されている。
【００３９】
ベルト１７は、ドラムユニット９が内方位置における第２内方位置に位置するときに、その上方部分がすべての感光ドラム１１と接触するように、駆動ローラ１５および従動ローラ１６の周りに巻回されている。ベルト１７は、駆動ローラ１５の駆動、および、従動ローラ１６の従動により、その上方部分が前方から後方へ向かって移動するように、周回移動される。
【００４０】
転写ローラ１８は、対応する感光ドラム１１の下方において、ベルト１７の上方部分を挟んで配置されている。
【００４１】
定着ユニット６は、ベルトユニット５の後方に配置されている。定着ユニット６は、加熱ローラ１９と、加熱ローラ１９に接触する加圧ローラ２０とを備えている。
【００４２】
そして、画像形成装置１が画像形成動作を開始すると、スコロトロン型帯電器１２は、感光ドラム１１の表面を一様に帯電する。その後、スキャナユニット４は、感光ドラム１１の表面を露光する。これにより、画像データに基づく静電潜像が、感光ドラム１１の表面に形成される。
【００４３】
また、供給ローラ１４は、現像カートリッジ１０内のトナーを現像ローラ１３に供給する。このとき、トナーは、現像ローラ１３と供給ローラ１４との間で正極性に摩擦帯電され、現像ローラ１３上に担持される。
【００４４】
そして、現像ローラ１３は、担持されたトナーを、感光ドラム１１の表面上の静電潜像に供給する。これにより、トナー像が、感光ドラム１１の表面上に担持される。
【００４５】
用紙Ｐは、各種ローラの回転により、給紙トレイ７から前上方へ搬送された後、後上方へＵターンされて、所定のタイミングで１枚ずつ、イエローの感光ドラム１１とベルト１７との間に給紙される。その後、用紙Ｐは、ベルト１７によって前方から後方へ向かって搬送される。感光ドラム１１上のトナー像は、用紙Ｐが感光ドラム１１と転写ローラ１８との間を通過するときに、用紙Ｐに転写される。
【００４６】
その後、用紙Ｐは、加熱ローラ１９と加圧ローラ２０との間を通過するときに加熱および加圧される。このとき、用紙Ｐ上のトナー像は、用紙Ｐに熱定着される。その後、用紙Ｐは、排紙トレイ８に排紙される。
２．ドラムユニットの詳細
ドラムユニット９は、図２および図７に示すように、平面視略矩形の枠形状を有している。ドラムユニット９は、複数（４つ）の穴４０および複数（４つ）の穴４１を有する第１位置決め板２８および第２位置決め板２９と、上記した４つの感光ドラム１１と、複数（４つ）のクリーニングユニット３０と、搬送ユニット３１と、前板３２と、後板３３と、第１側板３４と、複数（４つ）の穴１４２を有する第２側板３５と、ユニット基準軸３６とを備えている。
（１）第１位置決め板および第２位置決め板
第１位置決め板２８は、図７に示すように、ドラムユニット９の右端部に配置されている。第１位置決め板２８は、図４Ｂに示すように、前後方向に長い側面視略矩形の平板形状を有している。第１位置決め板２８は、ユニット基準軸３６が挿通される穴４４を有する傾斜部４２と、切欠４８を有する屈折部４３とを備えている。
【００４７】
４つの穴４０は、前後方向に互いに等間隔を隔てて配置されている。穴４０は、感光ドラム１１に対応して配置されている。穴４０は、側面視略円形状を有している。
【００４８】
４つの穴４１は、前後方向に互いに等間隔を隔てて配置されている。穴４１は、対応する穴４０の後方に配置されている。穴４１は、側面視略矩形状を有している。
【００４９】
傾斜部４２は、第１位置決め板２８の前端部から、前上方に向かって延びる側面視略矩形の略平板形状を有している。傾斜部４２は、穴４６を有する膨出部４５を備えている。
【００５０】
穴４４は、傾斜部４２の前上端部に配置されている。穴４４は、側面視略円形状を有している。
【００５１】
膨出部４５は、傾斜部４２の前上方と後下方とを結ぶ方向における略中央から、前下方に向かって膨出する側面視略三角形の略平板形状を有している。
【００５２】
穴４６は、膨出部４５と傾斜部４２との連続部分に配置されている。穴４６は、側面視略円形状を有している。
【００５３】
屈折部４３は、第１位置決め板２８の後端部から、上方に向かって延びる側面視略矩形の平板形状を有している。
【００５４】
切欠４８は、屈折部４３の後端部に配置されている。切欠４８は、屈折部４３の後端縁から前方へ向かって切り欠かれている。切欠４８は、後端部が開放された側面視略Ｖ字形状を有している。
【００５５】
第２位置決め板２９は、図７および図８に示すように、第１位置決め板２８から左方に間隔を隔てて、ドラムユニット９の左端部に配置されている。第２位置決め板２９は、第１位置決め板２８と略同一形状を有している。第２位置決め板２９は、第１位置決め板２８が傾斜部４２において膨出部４５を備えているのに対し、膨出部４５において屈折部４３を備えていない。なお、第２位置決め板２９について、上記の構成以外は、第１位置決め板２８と同一であるため、その他の説明を省略する。
（２）感光ドラム
感光ドラム１１は、図７に示すように、ドラム本体５０と、第１フランジ５１と、第２フランジ５２と、ドラムカップリング５３とを備えている。
【００５６】
ドラム本体５０は、第１位置決め板２８と第２位置決め板２９との間に配置されている。ドラム本体５０は、左右に延びる略円筒形状の金属管であり、外周面において感光層を有している。
【００５７】
第１フランジ５１は、ドラム本体５０の右端部に相対回転不能に嵌まっている。第１フランジ５１は、大径部５１Ａと、小径部５１Ｂとを備えている。
【００５８】
大径部５１Ａは、第１フランジ５１の左端部に配置されている。大径部５１Ａは、右端部が閉鎖された略円筒形状を有している。大径部５１Ａの外径は、ドラム本体５０の内径と略同じである。大径部５１Ａは、ドラム本体５０の右端部において、ドラム本体５０内に挿入されている。
【００５９】
小径部５１Ｂは、大径部５１Ａの右壁から右方へ突出している。小径部５１Ｂは、大径部５１Ａと中心軸線を共有する略円筒形状を有している。小径部５１Ｂの外径は、大径部５１Ａの外径よりも小さい。小径部５１Ｂは、第１位置決め板２８の対応する穴４０に嵌まっている。
【００６０】
これにより、第１位置決め板２８は、第１フランジ５１を支持することで、感光ドラム１１を位置決めしている。
【００６１】
第２フランジ５２は、ドラム本体５０の左端部に相対回転不能に嵌まっている。第２フランジ５２は、大径部５２Ａと、ギア部５２Ｃと、小径部５２Ｂとを備えている。
【００６２】
大径部５２Ａは、第２フランジ５２の右端部に配置されている。大径部５２Ａは、略円筒形状を有している。大径部５２Ａの外径は、ドラム本体５０の内径と略同じである。大径部５２Ａは、ドラム本体５０の左端部において、ドラム本体５０内に挿入されている。
【００６３】
ギア部５２Ｃは、大径部５２Ａの左方に隣接配置されている。ギア部５２Ｃは、大径部５２Ａと中心軸線を共有し、左右方向に厚みを有する略円板形状を有している。ギア部５２Ｃは、周面すべてにわたってギア歯を有している。
【００６４】
小径部５２Ｂは、ギア部５２Ｃから左方へ突出している。小径部５２Ｂは、大径部５２Ａおよびギア部５２Ｃと中心軸線を共有する略円筒形状を有している。小径部５２Ｂの外径は、大径部５２Ａおよびギア部５２Ｃの外径よりも小さい。小径部５２Ｂは、第２位置決め板２９の対応する穴４０に嵌まっている。
【００６５】
これにより、第２位置決め板２９は、第２フランジ５２を支持することで、感光ドラム１１を位置決めしている。
【００６６】
ドラムカップリング５３は、感光ドラム１１の左端部に配置されている。ドラムカップリング５３は、円板部５３Ａと、軸部５３Ｂとを備えている。
【００６７】
円板部５３Ａは、第２位置決め板２９の左方に配置されている。円板部５３Ａは、左右方向に厚みを有する略円板形状を有している。円板部５３Ａの直径は、第２フランジ５２の大径部５２Ａよりも小径であり、小径部５２Ｂよりも大径である。円板部５３Ａは、後述する本体ケーシング２の本体カップリング１５５と相対回転不能に係合するように構成されている。
【００６８】
軸部５３Ｂは、円板部５３Ａから右方へ突出している。軸部５３Ｂは、円板部５３Ａと中心軸線を共有する略円筒形状を有している。軸部５３Ｂの外径は、小径部５２Ｂの内径と略同じである。軸部５３Ｂは、第２フランジ５２の小径部５２Ｂに、相対回転不能に嵌まっている。
（３）クリーニングユニット
クリーニングユニット３０は、図７および図８に示すように、対応する感光ドラム１１の後方に配置されている。クリーニングユニット３０は、感光ドラム１１のドラム本体５０の表面に付着、残留したトナーを除去するように構成されている。クリーニングユニット３０は、フレーム６０と、クリーニング部材６１と、クリーニング搬送部材６２と、除電部材６３とを備えている。
【００６９】
フレーム６０は、本体部６６と、第１壁部６７と、第２壁部６８とを備えている。
【００７０】
本体部６６は、フレーム６０の後端部に配置されている。本体部６６は、左右方向に延び、左右方向両端部が閉鎖された略角筒形状を有している。本体部６６は、ブレード支持部７０と、廃トナー搬送部７１と、ギア収容部７２と、除電部材収容部７３とを有している。
【００７１】
ブレード支持部７０は、図８に示すように、本体部６６の上端部に配置されている。ブレード支持部７０は、左右方向に延びる略板形状を有している。
【００７２】
廃トナー搬送部７１は、ブレード支持部７０の下方に配置されている。廃トナー搬送部７１は、左右方向に延び、左端部が閉鎖され、右端部と前端部とが開放された略半円筒形状を有している。廃トナー搬送部７１の上端部は、ブレード支持部７０の下端部に連続している。
【００７３】
ギア収容部７２は、図７に示すように、廃トナー搬送部７１の左方に配置されている。ギア収容部７２は、左右方向に延び、左右両端部が閉鎖され、前端部が開放された略半円筒形状を有している。
【００７４】
除電部材収容部７３は、図８に示すように、廃トナー搬送部７１の下方に配置されている。除電部材収容部７３は、左右方向に延び、前端部が開放された略角筒形状を有している。除電部材収容部７３の上端部は、廃トナー搬送部７１の下端部に連続している。
【００７５】
第１壁部６７は、図７に示すように、フレーム６０の右端部に配置されている。第１壁部６７は、本体部６６の右端部から前方へ延びる略平板形状を有している。第１壁部６７は、第１位置決め板２８の内面に接触している。
【００７６】
第２壁部６８は、図７および図８に示すように、フレーム６０の左端部に配置されている。第２壁部６８は、本体部６６の左端部から前方へ延びる略平板形状を有している。第２壁部６８は、第２位置決め板２９の内面に接触している。
【００７７】
クリーニング部材６１は、図８に示すように、支持部材７５と、ブレード７６とを備えている。
【００７８】
支持部材７５は、金属からなり、左右方向に延びる略平板形状を有している。支持部材７５は、フレーム６０のブレード支持部７０に固定されている。
【００７９】
ブレード７６は、ゴムなどの弾性部材からなり、左右方向に延びる略平板形状を有している。ブレード７６の上端部は、支持部材７５に固定されている。ブレード７６の下端部は、廃トナー搬送部７１の上方半分を被覆するように、廃トナー搬送部７１の前方に向かい合っている。また、ブレード７６の下端部は、後方に湾曲した状態で、感光ドラム１１のドラム本体５０の後端部に接触している。
【００８０】
クリーニング搬送部材６２は、図７および図８に示すように、廃トナー搬送部７１内に配置されている。クリーニング搬送部材６２は、左右方向に延びる右ねじ状のオーガスクリューである。クリーニング搬送部材６２の左端部は、ギア収容部７２と廃トナー搬送部７１との間の壁に相対回転可能に支持されている。また、クリーニング搬送部材６２の左端部は、ギア収容部７２と廃トナー搬送部７１との間を貫通して、ギア収容部７２内に配置されている。クリーニング搬送部材６２は、図７に示すように、ギア７８を備えている。
【００８１】
ギア７８は、ギア収容部７２内において、クリーニング搬送部材６２の左端部に相対回転不能に支持されている。ギア７８は、左右方向に延びる略円筒形状を有し、その周面すべてにわたってギア歯を有している。ギア７８は、感光ドラム１１の第２フランジ５２の後方に配置されている。ギア７８は、感光ドラム１１の第２フランジ５２のギア部５２Ｃに噛み合っている。
【００８２】
除電部材６３は、図８に示すように、除電部材収容部７３内に固定されている。除電部材６３は、左右方向に延びる半円柱形状を有している。除電部材６３の前面は、上下方向中央が前方へ膨出するように、側面視略円弧形状を有している。除電部材６３は、用紙Ｐにトナー像を転写した後の感光ドラム１１のドラム本体５０の表面のトナーを、対応するクリーニング部材６１によって除去する前に露光し、対応する感光ドラム１１のドラム本体５０の表面の電荷を低減する。
（４）搬送ユニット
搬送ユニット３１は、図２および図６に示すように、ドラムユニット９の右下端部に配置されている。搬送ユニット３１は、クリーニングユニット３０によって感光ドラム１１の表面上から除去されたトナーを、後述する廃トナー収容ユニット１５０へ搬送するように構成されている。搬送ユニット３１は、図４Ａおよび図９に示すように、フレームの一例としての搬送管８０と、第１搬送部材８１と、第２搬送部材８２と、第１ギア８４と、第２ギア８５と、ギアカバー８６と、シャッタユニット８８とを備えている。
【００８３】
搬送管８０は、前後方向、すなわち、ドラムユニット９の移動方向に延びている。搬送管８０は、第１搬送部９１と、第２搬送部９２と、第１搬送部材８１が挿通される穴１１１および第２搬送部材８２が挿通される穴１１２を有する閉鎖部９３とを備えている。
【００８４】
第１搬送部９１は、第１搬送管９５と、複数（４つ）の接続部９６とを備えている。
【００８５】
第１搬送管９５は、前後方向に延び、後端部が閉鎖された略円筒形状を有している。第１搬送管９５は、図１０Ｂに示すように、第１位置決め板２８の下端部の左方に隣接配置されている。
【００８６】
４つの接続部９６は、図４Ａおよび図４Ｃに示すように、第１搬送管９５の上方において、前後方向に互いに間隔を隔てて配置されている。接続部９６は、挿入部９７と、連通部９８と、固定穴１０１を有する固定部９９とを備えている。
【００８７】
挿入部９７は、接続部９６の前上端部に配置されている。挿入部９７は、左右方向に延び、左端部が開放され、右端部が閉鎖された略円筒形状を有している。挿入部９７は、図７に示すように、クリーニングユニット３０のフレーム６０の右端部に、図示しないシール部材を介して接続されている。クリーニングユニット３０のクリーニング搬送部材６２の右端部は、挿入部９７内に挿入されている。
【００８８】
連通部９８は、図４Ｃおよび図９に示すように、除電部材６３の後方において、挿入部９７の後下方に配置されている。連通部９８は、上下方向に延びる略角筒形状を有している。連通部９８の後上端部は、上方に向かうにつれて、前方に向かって傾斜している。連通部９８の前上端部は、挿入部９７の後下端部に連通している。連通部９８の下端部は、第１搬送管９５の上端部に連通している。
【００８９】
固定部９９は、図４Ａおよび図４Ｃに示すように、接続部９６の後上端部に配置されている。固定部９９は、連通部９８の右端部から上方へ延びる側面視略矩形の平板形状を有している。
【００９０】
固定穴１０１は、固定部９９の中央に配置されている。固定穴１０１は、固定部９９を左右方向に貫通している。固定穴１０１は、側面視略円形状を有している。
【００９１】
そして、固定部９９は、図示しないが、クリーニングユニット３０のフレーム６０の右端部と、第１位置決め板２８との間に挟まれ、ねじ部材が固定穴１０１に挿入されるように螺合されることにより、クリーニングユニット３０のフレーム６０と、第１位置決め板２８とに対して固定されている。
【００９２】
第２搬送部９２は、図９および図１０Ａに示すように、連結管１０３と、第２搬送管１０４と、開口の一例としての排出口１０７を有する第３搬送管１０５と係合部１０６とを備えている。
【００９３】
連結管１０３は、第２搬送部９２の左上端部に配置されている。連結管１０３は、前後方向に延び、第１搬送管９５と中心軸線を共有する略円筒形状を有している。連結管１０３は、第１搬送管９５の前端部に嵌まっている。
【００９４】
第２搬送管１０４は、図４Ｃおよび図１０Ａに示すように、連結管１０３の前端部の右下方に配置されている。第２搬送管１０４は、左上方と右下方とを結ぶ方向に向かって延び、前方が開放された略角筒形状を有している。つまり、第２搬送管１０４は、第１搬送管９５の延びる方向と交差する方向に延びている。第２搬送管１０４の左上端部は、連結管１０３の前端部における右下端部に連通している。つまり、第２搬送管１０４は、連結管１０３を介して、第１搬送管９５の前端部と連結されている。
【００９５】
第３搬送管１０５は、図５Ａおよび図９に示すように、第２搬送管１０４の右下端部から後方に延び、後端部が閉鎖された略円筒形状を有している。第３搬送管１０５は、第１搬送管９５が延びる方向と同じ方向に沿って延びている。第３搬送管１０５は、第２搬送管１０４によって、第１搬送管９５とその内外が連通されるように接続されている。言い換えると、第２搬送管１０４は、第１搬送管９５と、第３搬送管１０５とを連結している。第３搬送管１０５は、図１０Ｂに示すように、第１位置決め板２８の下方に配置されている。第３搬送管１０５の後端部は、図９に示すように、最前端の感光ドラム１１の中心軸線よりも前方、かつ、最前端の接続部９６よりも前方に位置している。
【００９６】
排出口１０７は、第３搬送管１０５の後端部に配置されている。排出口１０７は、第３搬送管１０５の下方周壁を上下方向に貫通している。排出口１０７は、底面視略矩形状を有している。排出口１０７は、最前端の感光ドラム１１の中心軸線よりも前方に位置している。排出口１０７は、図１０Ｂに示すように、上下方向において、第１位置決め板２８と重なっている。
【００９７】
係合部１０６は、図４Ａおよび図１０Ａに示すように、連結管１０３の上部から上方に向かって突出する側面視略矩形の略平板形状を有している。係合部１０６は、第１位置決め板２８の膨出部４５の左方に配置されている。係合部１０６は、ボス１０８を備えている。
【００９８】
ボス１０８は、係合部１０６の右面から右方に向かって突出する略円筒形状を有している。ボス１０８は、第１位置決め板２８の穴４６に嵌まっている。
【００９９】
閉鎖部９３は、図４Ｃおよび図９に示すように、搬送管８０の前端部に配置されている。閉鎖部９３は、左上方と右下方とを結ぶ方向に延びる正面視略矩形の略平板形状を有している。閉鎖部９３は、挿入部１１３と、第１ギア８４を支持する支持部１１５と、第２ギア８５を支持する支持部１１６とを備えている。
【０１００】
穴１１１は、閉鎖部９３の左上方部分における略中央に配置されている。穴１１１は、正面視円形状を有している。穴１１１は、第１搬送部材８１と中心軸線を共有している。
【０１０１】
穴１１２は、閉鎖部９３の右下方部分における略中央に配置されている。穴１１２は、正面視略円形状を有している。穴１１２は、第２搬送部材８２と中心軸線を共有している。
【０１０２】
挿入部１１３は、図９に示すように、閉鎖部９３の後面から後方に向かって延びている。挿入部１１３は、図１０Ａに示すように、断面視略楕円筒形状を有している。挿入部１１３は、第２搬送部９２の前端部に嵌まっている。
【０１０３】
支持部１１５は、図９に示すように、穴１１１の周縁からわずかに間隔を隔てた閉鎖部９３の前面から、前方に向かって延びる略円筒形状を有している。支持部１１５は、穴１１１と中心軸線を共有している。
【０１０４】
支持部１１６は、穴１１２の周縁からわずかに間隔を隔てた閉鎖部９３の前面から、前方に向かって延びる略円筒形状を有している。支持部１１６は、穴１１２と中心軸線を共有している。
【０１０５】
第１搬送部材８１は、第１搬送部９１の第１搬送管９５内に配置されている。第１搬送部材８１は、前後方向に延びる第１軸線Ａ１について回転可能な右ねじ状のオーガスクリューである。第１搬送部材８１の後端部は、第１搬送管９５の後壁に回転可能に支持されている。第１搬送部材８１の前端部は、閉鎖部９３の穴１１１を通過し、閉鎖部９３の支持部１１５の前端部よりも前方まで延びている。
【０１０６】
第２搬送部材８２は、第２搬送部９２の第３搬送管１０５内に配置されている。第２搬送部材８２は、前後方向に延びる第２軸線Ａ２について回転可能な右ねじ状のオーガスクリューである。第２搬送部材８２は、第１搬送部材８１の右下方に配置されている。言い換えると、第１搬送部材８１の第１軸線Ａ１は、第２搬送部材８２の第２軸線Ａ２よりも上方にある。また、第２搬送部材８２は、第１搬送部材８１と平行である。第２搬送部材８２の前後方向寸法は、第１搬送部材８１の前後方向寸法よりも短い。第２搬送部材８２の後端部は、第３搬送管１０５の後壁に回転可能に支持されている。第２搬送部材８２の前端部は、閉鎖部９３の穴１１２を通過し、閉鎖部９３の支持部１１６の前端部よりも前方まで延びている。
【０１０７】
第１ギア８４は、閉鎖部９３の前方において、第１搬送部材８１の前端部に相対回転不能に支持されている。第１ギア８４は、前後方向に延びる略円筒形状を有し、その周面すべてにわたってギア歯を有している。つまり、第１ギア８４は、第１搬送部材８１に固定され、第１搬送部材８１とともに回転可能である。また、第１ギア８４は、第１ボス１２１を備えている。
【０１０８】
第１ボス１２１は、第１ギア８４の後面から後方に向かって突出し、第１ギア８４と中心軸線を共有する略円筒形状を有している。第１ボス１２１は、閉鎖部９３の支持部１１５に回転可能に嵌まっている。
【０１０９】
第２ギア８５は、閉鎖部９３の前方において、第２搬送部材８２の前端部に相対回転不能に支持されている。第２ギア８５は、前後方向に延びる略円筒形状を有し、その周面すべてにわたってギア歯を有している。つまり、第２ギア８５は、第２搬送部材８２に固定され、第２搬送部材８２とともに回転可能である。第２ギア８５は、第１ギア８４の右下端部と噛合している。また、第２ギア８５は、第２ボス１２２を備えている。
【０１１０】
第２ボス１２２は、第２ギア８５の後面から後方に向かって突出し、第２ギア８５と中心軸線を共有する略円筒形状を有している。第２ボス１２２は、閉鎖部９３の支持部１１６に回転可能に嵌まっている。
【０１１１】
ギアカバー８６は、図４Ｃおよび図９に示すように、搬送ユニット３１の前端部に配置されている。ギアカバー８６は、後方および左下方が開放された略ボックス形状を有している。ギアカバー８６は、第１ギア８４の左下端部および第２ギア８５の左下端部が露出するように、第１ギア８４および第２ギア８５を前方から被覆している。また、ギアカバー８６は、第１搬送部材８１を支持する支持部１２４と、第２搬送部材８２を支持する支持部１２５とを備えている。
【０１１２】
支持部１２４は、ギアカバー８６の前壁の後面から、後方に向かって突出する略円筒形状を有している。支持部１２４は、第１搬送部材８１と中心軸線を共有している。支持部１２４は、第１搬送部材８１の前端部を相対回転可能に受け入れている。
【０１１３】
支持部１２５は、支持部１２４の右下方において、ギアカバー８６の後面から、後方に向かって突出する略円筒形状を有している。支持部１２５は、第２搬送部材８２と中心軸線を共有している。支持部１２５は、第２搬送部材８２の前端部を相対回転可能に受け入れている。
【０１１４】
シャッタユニット８８は、図２に示すように、第２搬送部９２の第３搬送管１０５に組み付けられている。シャッタユニット８８は、シャッタ１３０と、付勢部材１３１とを備えている。
【０１１５】
シャッタ１３０は、第３搬送管１０５の排出口１０７を閉鎖する図５Ａに示す閉鎖位置と、第３搬送管１０５の排出口１０７を開放する図５Ｂに示す開放位置とに回動可能に構成されている。なお、以下のシャッタ１３０の説明においては、シャッタ１３０が、図５Ａに示す閉鎖位置にある状態を基準として説明する。
【０１１６】
シャッタ１３０は、図４Ａおよび図５Ａに示すように、連通口１３４を有するシャッタ本体１３３と、突起部１３５とを備えている。
【０１１７】
シャッタ本体１３３は、前後方向に延びる略円筒形状を有している。シャッタ本体１３３は、その内部に第３搬送管１０５を受け入れている。
【０１１８】
連通口１３４は、シャッタ本体１３３の右方周壁を左右方向に貫通している。連通口１３４は、側面視略矩形状を有している。連通口１３４は、前後方向において、第３搬送管１０５の排出口１０７と略同じ位置に位置している。
【０１１９】
突起部１３５は、シャッタ１３０の前端部に配置されている。突起部１３５は、シャッタ本体１３３と一体に成形されている。突起部１３５は、シャッタ本体１３３の径方向外方に突出しており、Ｌ字形状を有している。突起部１３５は、第１板１３６と、第２部の一例としての第２板１３７と、第１部の一例としての第３板１３８とを備えている。
【０１２０】
第１板１３６は、シャッタ本体１３３の右前端部から、前方に向かって延びる略平板形状を有している。第１板１３６は、第３搬送管１０５の周面に沿って湾曲している。第１板１３６の曲率半径は、シャッタ本体１３３の半径と略同じである。
【０１２１】
第２板１３７は、シャッタ本体１３３の右前端部から、右方に向かって延びている。突起部１３５は、正面視略矩形の略平板形状を有している。
【０１２２】
第３板１３８は、第１板１３６の上端部と、第２板１３７の上端部とを連結する平面視略矩形の略平板形状を有している。つまり、第３板１３８は、第２板１３７の上端部から、前方に向かって延びている。また、言い換えると、第２板１３７は、第３板１３８の後端部から、下方に向かって延びている。第３板１３８の上面は、第２面の一例としての被押圧面１３８Ａとして構成されている。被押圧面１３８Ａは、平面である。
【０１２３】
なお、突起部１３５において、第２板１３７と、第３板１３８との連続部分は、湾曲部１３９として構成されている。
【０１２４】
湾曲部１３９は、第２板１３７から第３板１３８に向かうにつれて湾曲している。湾曲部１３９は、後方を向いている。湾曲部１３９の周面は、第４面の一例としての湾曲面１３９Ａとして構成されている。
【０１２５】
そして、突起部１３５は、シャッタ１３０が図５Ｂに示す開放位置に位置するときに、シャッタ本体１３３から下方に向かって延びる第１位置に位置し、シャッタ１３０が図５Ａに示す閉鎖位置に位置するときに、シャッタ本体１３３から右方に向かって延びる第２位置に位置する。
【０１２６】
付勢部材１３１は、図４Ａおよび図９に示すように、前後方向に沿って線材が螺旋状に巻回されるコイル形状を有するコイルばねである。付勢部材１３１は、その内部に第３搬送管１０５の前端部を受け入れている。付勢部材１３１は、前後方向において、シャッタ１３０の突起部１３５と重なっている。付勢部材１３１は、図示しないが、その線材の一端部が第３搬送管１０５に固定され、その他端部が突起部１３５に固定されており、常には、突起部１３５を第２位置に位置させ、シャッタ１３０が閉鎖位置に位置するように、正面視反時計回り方向に付勢している。
（５）前板、後板、第１側板、第２側板およびユニット基準軸
前板３２は、図２および図６に示すように、ドラムユニット９の前端部に配置されている。前板３２は、左右方向に長い正面視略矩形の平板形状を有している。前板３２は、第１位置決め板２８の前端部と、第２位置決め板２９の前端部との間に架設されている。前板３２は、前把持部３２Ａを備えている。
【０１２７】
前把持部３２Ａは、前板３２の左右方向中央に配置されている。前把持部３２Ａは、前板３２の前面から前方へ突出し、左右方向に延びる略平板形状を有している。
【０１２８】
後板３３は、ドラムユニット９の後端部に配置されている。後板３３は、左右方向に長い正面視略矩形の平板形状を有している。後板３３は、第１位置決め板２８の後端部と、第２位置決め板２９の後端部との間に架設されている。後板３３は、後把持部３３Ａを備えている。
【０１２９】
後把持部３３Ａは、後板３３の上端部に配置されている。後把持部３３Ａは、後板３３の上面から上方へ突出し、左右方向に延びている。後把持部３３Ａは、背面視略矩形の枠形状を有している。
【０１３０】
第１側板３４は、図２および図７に示すように、第１位置決め板２８の右方に配置されている。第１側板３４は、第１位置決め板２８よりも上下方向に幅広な側面視略矩形の平板形状を有している。
【０１３１】
第２側板３５は、図３および図６に示すように、第２位置決め板２９の左方に配置されている。第２側板３５は、第２位置決め板２９よりも上下方向に幅広な側面視略矩形の平板形状を有している。第２側板３５は、複数（４つ）の被位置決め部１４３を備えている。
【０１３２】
４つの穴１４２は、図３および図７に示すように、前後方向に互いに間隔を隔てて配置されている。穴１４２は、感光ドラム１１に対応して配置されている。穴１４２は、側面視略円形状を有している。穴１４２は、対応する感光ドラム１１のドラムカップリング５３を受け入れている。
【０１３３】
４つの被位置決め部１４３は、図３および図６に示すように、前後方向に互いに間隔を隔てて配置されている。被位置決め部１４３は、被位置決め部１４３の前下方に位置している。被位置決め部１４３は、第２側板３５の左面から右方に向かって突出している。被位置決め部１４３は、左方に向かうにつれて、細くなる角錐台形状を有している。
【０１３４】
ユニット基準軸３６は、図２および図３に示すように、ドラムユニット９の前端部に配置されている。ユニット基準軸３６は、金属からなり、左右方向に延びる略円柱形状を有している。ユニット基準軸３６は、図６および図１２Ｂに示すように、第１位置決め板２８および第２位置決め板２９の穴４４に挿通されている。ユニット基準軸３６は、その右端部が第１側板３４よりも右方に突出し、その左端部が第２側板３５よりも左方に位置している。
３．本体ケーシングの構成
本体ケーシング２は、図１および図１２Ｂに示すように、廃トナー収容ユニット１５０と、本体基準板１５３と、本体基準軸１５４と、本体カップリング１５５（図７参照）と、位置決め部１５７と（図６参照）と、当接部１７１（図６参照）とを備えている。
【０１３５】
廃トナー収容ユニット１５０は、図１に示すように、ベルトユニット５の下方に配置されている。廃トナー収容ユニット１５０は、略ボックス形状を有している。廃トナー収容ユニット１５０は、クリーニングユニット３０で除去されたトナーを貯留するように構成されている。廃トナー収容ユニット１５０は、図９および図１０Ｂに示すように、導入管１６０を備えている。
【０１３６】
導入管１６０は、廃トナー収容ユニット１５０の前端部の右端部に配置されている。導入管１６０は、第１部分１６１と、第２部分１６２とを備えている。
【０１３７】
第１部分１６１は、図１０Ａおよび図１０Ｂに示すように、左右方向に延びる角筒形状を有している。第１部分１６１の左端部は、図示しないが、廃トナー収容ユニット１５０の内部空間に連通している。
【０１３８】
第２部分１６２は、図９および図１０Ｂに示すように、ベルトユニット５の前端部の右方に配置されている。第２部分１６２は、上下方向に延びる角筒形状を有している。第２部分１６２の下端部は、第２部分１６２と連通している。
【０１３９】
本体基準板１５３は、図１２Ｂに示すように、本体ケーシング２の前端部内に配置されている。なお、本体基準板１５３は、左右方向に間隔を隔てて、２つ配置されている。本体基準板１５３は、載置部１５３Ａと、立設部１５３Ｂとを備えている。
【０１４０】
載置部１５３Ａは、本体基準板１５３の下端部に配置されている。載置部１５３Ａは、前後方向に延びる略角柱形状を有している。
【０１４１】
立設部１５３Ｂは、載置部１５３Ａの後端部から上方に向かって延びる略角柱形状を有している。
【０１４２】
本体基準軸１５４は、図１および図１２Ｂに示すように、本体ケーシング２の後端部内に配置されている。本体基準軸１５４は、金属からなり、左右方向に延びる略円柱形状を有している。
【０１４３】
４つの本体カップリング１５５は、図７に示すように、本体ケーシング２の左端部において、前後方向に互いに間隔を隔てて並列配置されている。本体カップリング１５５は、対応する感光ドラム１１の左方に配置されており、プロセスユニット３が本体ケーシング２に装着された状態において、その右端部が感光ドラム１１のドラムカップリング５３に嵌まるように構成されている。本体カップリング１５５は、公知の連動機構により、フロントカバー２２の開閉動作に連動して、左右方向に沿って移動するように構成されている。また、本体カップリング１５５は、本体ケーシング２に備えられる図示しないモータなどの駆動源からの駆動力が伝達されることにより、回転するように構成されている。
【０１４４】
位置決め部１５７は、図６に示すように、本体ケーシング２内において、左下方に配置されている。位置決め部１５７は、前後方向に延びる略角柱形状を有している。
【０１４５】
当接部１７１は、図６および図１２Ｂに示すように、本体ケーシング２内において、本体基準板１５３の下方であって、廃トナー収容ユニット１５０の導入管１６０の前方に配置されている。当接部１７１は、図１１Ａおよび図１１Ｂに示すように、穴１８５を有する傾斜板１７４と、押圧板１７５と、連結板１７６と、穴１８７を有する突出部１７７と、補強部１７８とを備えている。
【０１４６】
傾斜板１７４は、側面視略三角形状の略平板形状を有している。傾斜板１７４は、その前面が後方に向かうにつれて、下方に傾斜している。この傾斜板１７４における前面が、第３面の一例としての傾斜面１７４Ａとして構成されている。傾斜面１７４Ａは、前方を向いている。傾斜面１７４Ａの上下方向寸法は、ドラムユニット９の第１内方位置と、第２内方位置との間における上下方向における移動量よりも大きい。また、傾斜板１７４における傾斜面１７４Ａの左端縁は、面取りされている。この傾斜板１７４における面取り部が、第５面の一例としての第１摺擦面１７４Ｂとして構成されている。つまり、第１摺擦面１７４Ｂは、傾斜面１７４Ａと連続している。また、第１摺擦面１７４Ｂは、後方に向かうにつれて、下方に傾斜している。
【０１４７】
穴１８５は、傾斜板１７４の前上端部に配置されている。穴１８５は、側面視略円形状を有している。
【０１４８】
押圧板１７５は、当接部１７１の下端部に配置されている。押圧板１７５は、傾斜板１７４の下端部から下方に向かって突出する正面視略矩形の平板形状を有している。押圧板１７５の右面は、傾斜板１７４の右面と面一である。押圧板１７５の左面は、傾斜板１７４の左面よりも右方に位置しており、第１面の一例としての押圧面１７５Ａとして構成されている。つまり、押圧面１７５Ａは、左方を向いている。押圧面１７５Ａは、平面である。
【０１４９】
連結板１７６は、傾斜板１７４の下端部と、押圧板１７５の上端部とを連結しており、前下方から見て略三角形状の略平板形状を有している。連結板１７６は、傾斜板１７４の傾斜面１７４Ａに沿って、傾斜している。つまり、連結板１７６の前下面は、傾斜面１７４Ａと面一である。連結板１７６の前上面は、左方に向かうにつれて、下方に傾斜している。連結板１７６の前上面が、第６面の一例としての第２摺擦面１７６Ａとして構成されている。第２摺擦面１７６Ａは、後方に向かうにつれて、下方に傾斜している。第２摺擦面１７６Ａは、第１摺擦面１７４Ｂおよび押圧面１７５Ａの両方と連続している。
【０１５０】
なお、連結板１７６の第２摺擦面１７６Ａと、傾斜板１７４の第１摺擦面１７４Ｂとが、併せて、ガイド面の一例として構成されている。
【０１５１】
突出部１７７は、押圧板１７５の右下端部に配置されている。突出部１７７は、押圧板１７５の右下端部から前方に向かって突出する略角柱形状を有している。
【０１５２】
穴１８７は、突出部１７７の側面視略中央に配置されている。穴１８７は、側面視略円形状を有している。
【０１５３】
補強部１７８は、傾斜板１７４の下端部と、連結板１７６の下端部と、押圧板１７５の上端部とを連結している。補強部１７８は、側面視三角柱形状を有している。
【０１５４】
そして、当接部１７１は、図示しないが、穴１８５および穴１８７を介して、本体ケーシング２に対してねじ部材によって螺合されることにより、本体ケーシング２に対して位置決めされ、固定されている。
４．ドラムユニットの着脱動作
ドラムユニット９を本体ケーシング２に対して装着するには、作業者は、まず、図１に示すように、本体ケーシング２のフロントカバー２２をその下端部を支点として揺動させ、開口２１を開放する。
【０１５５】
次いで、作業者は、図１および図２に示すように、ドラムユニット９の前把持部３２Ａおよび後把持部３３Ａを把持して、ドラムユニット９を外方位置に位置させ、開口２１を介してドラムユニット９を後方へ押し込む。
【０１５６】
すると、ドラムユニット９は、図１２Ａおよび図１２Ｂに示すように、本体ケーシング２内を後方へ移動し、内方位置における第１内方位置に位置する。
【０１５７】
このとき、ドラムユニット９は、ベルトユニット５に対して、相対的に前上方に位置している。
【０１５８】
また、突起部１３５の湾曲面１３９Ａは、前後方向に投影したときに、当接部１７１の傾斜面１７４Ａと重なっている。
【０１５９】
次いで、作業者は、図１２Ｃおよび図１２Ｄに示すように、ドラムユニット９を本体ケーシング２内にさらに押し込む。
【０１６０】
これにより、ドラムユニット９において、まず、突起部１３５の湾曲面１３９Ａが、当接部１７１の傾斜面１７４Ａに干渉する。
【０１６１】
すると、傾斜面１７４Ａが後方に向かうにつれて、下方に傾斜していることにより、ドラムユニット９が後方に移動することで、突起部１３５が下方に押され、シャッタ１３０が正面視時計回りに回動し始める。
【０１６２】
そして、突起部１３５の湾曲面１３９Ａは、当接部１７１の傾斜面１７４Ａから離間し、第１摺擦面１７４Ｂに接触される。
【０１６３】
次いで、作業者は、図１３Ａおよび図１３Ｂに示すように、ドラムユニット９を本体ケーシング２内にさらに押し込む。
【０１６４】
すると、ドラムユニット９は、その移動途中において、本体ケーシング２の図示しないガイドによって、わずかに下方に移動しながら、後方へ移動する。
【０１６５】
そして、第１摺擦面１７４Ｂが後方に向かうにつれて、下方に傾斜していることにより、ドラムユニット９が後方に移動することで、湾曲面１３９Ａが第１摺擦面１７４Ｂに案内されるようにして、突起部１３５がさらに下方に押される。
【０１６６】
これにより、シャッタ１３０は、正面視時計周りにさらに回動する。
【０１６７】
次いで、作業者は、図１３Ｃおよび図１３Ｄに示すように、ドラムユニット９を本体ケーシング２内にさらに押し込む。
【０１６８】
すると、突起部１３５の湾曲面１３９Ａは、当接部１７１の第１摺擦面１７４Ｂに案内された後、第１摺擦面１７４Ｂから離間し、第２摺擦面１７６Ａに接触される。
【０１６９】
そして、第２摺擦面１７６Ａが後方に向かうにつれて、左方に傾斜していることにより、ドラムユニット９が後方に移動することで、湾曲面１３９Ａが第２摺擦面１７６Ａに案内されるようにして、突起部１３５が左下方に押される。
【０１７０】
これにより、シャッタ１３０は、正面視時計回りにさらに回動する。
【０１７１】
次いで、作業者は、図１４Ａおよび図１４Ｂに示すように、ドラムユニット９を本体ケーシング２内にさらに押し込む。
【０１７２】
すると、突起部１３５は、湾曲面１３９Ａが第２摺擦面１７６Ａに案内されるようにして、さらに左下方に押される。
【０１７３】
これにより、シャッタ１３０が正面視時計回りにさらに回動する。
【０１７４】
このとき、前後方向において、ドラムユニット９のユニット基準軸３６は、本体基準板１５３の載置部１５３Ａの上方に位置している。
【０１７５】
また、ドラムユニット９は、切欠４８内に、本体基準軸１５４を受け入れる。
【０１７６】
次いで、作業者は、図１４Ｃおよび図１４Ｄに示すように、ドラムユニット９を本体ケーシング２内にさらに押し込む。
【０１７７】
すると、ドラムユニット９は、本体ケーシング２内をさらに後下方に移動し、内方位置における第２内方位置に位置する。
【０１７８】
これにより、第１位置決め板２８の切欠４８は、本体基準軸１５４の右端部に嵌まる。また、図示しないが、第２位置決め板２９の切欠４８は、本体基準軸１５４の左端部に嵌まる。また、ユニット基準軸３６の右端部は、右方の本体基準板１５３の載置部１５３Ａに載置される。また、図示しないが、ユニット基準軸３６の左端部は、左方の本体基準板１５３の載置部１５３Ａに載置される。
【０１７９】
そして、感光ドラム１１の下端部は、ベルト１７の上方部分に接触する。
【０１８０】
また、突起部１３５は、湾曲面１３９Ａが、当接部１７１の第２摺擦面１７６Ａに案内された後、第２摺擦面１７６Ａから離間し、当接部１７１の押圧板１７５の左方に配置される。
【０１８１】
これにより、突起部１３５の被押圧面１３８Ａが、当接部１７１の押圧面１７５Ａと接触する。
【０１８２】
こうして、当接部１７１が突起部１３５を左方に向かって押圧することにより、突起部１３５が下方に向かって延びる第１位置に位置する。これにより、シャッタ１３０は、付勢部材１３１の付勢力に抗して、図４Ｃおよび図１０Ｂに示すように、連通口１３４がシャッタ本体１３３の下方に位置し、第３搬送管１０５の排出口１０７と上下方向において連通する開放位置に位置する。第３搬送管１０５の排出口１０７は、図９および図１０Ｂに示すように、廃トナー収容ユニット１５０の導入管１６０の第２部分１６２の上端部に連結される。搬送管８０は、排出口１０７を介して、廃トナー収容ユニット１５０の導入管１６０の第２部分１６２の上端部に連通される。
【０１８３】
また、ドラムユニット９は、４つの被位置決め部１４３が位置決め部１５７と接触することにより、左右方向において位置決めされる。
【０１８４】
そして、作業者がフロントカバー２２を閉めると、フロントカバー２２の閉鎖動作に連動して、公知の連動機構により、本体カップリング１５５が、右方に移動し、対応する感光ドラム１１のドラムカップリング５３に嵌まる。
【０１８５】
これにより、ドラムユニット９の装着動作が完了する。
【０１８６】
また、ドラムユニット９を外方位置に移動させるには、作業者は、上記した動作と逆に、ドラムユニット９を操作する。
【０１８７】
詳しくは、作業者は、まず、本体ケーシング２のフロントカバー２２を開放する。
【０１８８】
すると、フロントカバー２２の開放動作に連動して、公知の連動機構により、図７に示すように、本体カップリング１５５が左方に移動し、ドラムカップリング５３から離間する。
【０１８９】
次いで、作業者は、ドラムユニット９の前把持部３２Ａを把持して、ドラムユニット９を前方へ引き出す。
【０１９０】
すると、ドラムユニット９は、本体ケーシング２の図示しないガイドによって、わずかに前上方へ、第１内方位置にむけて移動する。
【０１９１】
そして、ドラムユニット９の移動に伴って、シャッタ１３０は、付勢部材１３１によって、正面視反時計回りに付勢されながら、突起部１３５が当接部１７１の押圧面１７５Ａと離間し、第２摺擦面１７６Ａおよび第１摺擦面１７４Ｂに案内されるようにして、正面視反時計回りに回動する。
【０１９２】
これにより、シャッタ１３０は、図２および図４Ａに示すように、突起部１３５が右方に向かって延びる第２位置に位置し、シャッタ本体１３３の周壁によって排出口１０７を閉鎖する閉鎖位置に移動する。
【０１９３】
その後、図１２Ａおよび図１２Ｂに示すように、突起部１３５が当接部１７１から離間し、ドラムユニット９は、内方位置における第１内方位置に位置する。
【０１９４】
そして、作業者は、ドラムユニット９を前方へさらに引き出す。
【０１９５】
これにより、ドラムユニット９は、外方位置に位置し、ドラムユニットの引き出し動作が完了する。
５．クリーニング動作
次いで、感光ドラム１１のドラム本体５０の表面に付着し、残留したトナーのクリーニング動作について、説明する。
【０１９６】
画像形成動作において、感光ドラム１１のドラム本体５０に残留したトナーは、図８に示すように、感光ドラム１１が回転することにより、クリーニングユニット３０のクリーニング部材６１のブレード７６が、感光ドラム１１のドラム本体５０と接触し、ドラム本体５０の表面に残留したトナーを掻き取り、除去する。
【０１９７】
そして、ドラム本体５０の表面から除去されたトナーは、フレーム６０の本体部６６の廃トナー搬送部７１内に落下する。つまり、クリーニング部材６１によって、ドラム本体５０の表面に残留したトナーが回収される。
【０１９８】
このとき、クリーニング搬送部材６２は、ギア７８が感光ドラム１１の第２フランジ５２と噛合していることにより、右側面視時計回りに回転している。
【０１９９】
これにより、廃トナー搬送部７１内のトナーは、クリーニング搬送部材６２によって、右方に搬送される。
【０２００】
そして、廃トナー搬送部７１内を右方に搬送された廃トナーは、図９に示すように、接続部９６の挿入部９７および連通部９８を介して、第１搬送管９５内に流入する。
【０２０１】
このとき、第２搬送部材８２は、図７に示すように、第２ギア８５が、本体ケーシング２の図示しない駆動ギアからの駆動力が伝達されることにより、正面視反時計回りに回転している。
【０２０２】
また、第１搬送部材８１は、第１ギア８４に対して、第２ギア８５を介して、本体ケーシング２の図示しない駆動ギアからの駆動力が伝達されることにより、正面視時計回りに回転する。
【０２０３】
これにより、図９に示すように、第１搬送管９５内に流入したトナーは、第１搬送部材８１によって、前方に搬送される。
【０２０４】
こうして、４つの感光ドラム１１のドラム本体５０の表面から掻き取られたトナーは、まとめられて、第１搬送管９５内を後方から前方に向けて搬送される。
【０２０５】
そして、第１搬送管９５の前端部に搬送されたトナーは、第２搬送部９２の連結管１０３内に流入する。
【０２０６】
このとき、トナーは、第１搬送部材８１によって前方に搬送されることにより、閉鎖部９３の後面に当接し、トナーの自重により、第２搬送管１０４内を右下方に向かって移動し、第３搬送管１０５の前端部に流入する。
【０２０７】
次いで、第３搬送管１０５の前端部に流入したトナーは、第２搬送部材８２によって、後方に向かって搬送される。
【０２０８】
これにより、トナーは、第３搬送管１０５内において、排出口１０７まで搬送され、排出口１０７を介して、導入管１６０に排出される。
【０２０９】
そして、トナーは、導入管１６０を介して、廃トナー収容ユニット１５０に貯留される。
【０２１０】
以上により、感光ドラム１１のドラム本体５０の表面に残留したトナーのクリーニング動作が完了する。
６．作用効果
（１）この画像形成装置１によれば、図６に示すように、シャッタ１３０は、ドラムユニット９が内方位置に位置したときに、突起部１３５の被押圧面１３８Ａが本体ケーシング２の当接部１７１の押圧面１７５Ａに押されることにより、開放位置に位置する。また、ドラムユニット９は、被位置決め部１４３が位置決め部１５７に当接するようにして、本体ケーシング２に対して左方に向けて位置決めされる。
【０２１１】
つまり、当接部１７１の押圧面１７５Ａが突起部１３５の被押圧面１３８Ａを押し、シャッタ１３０を開放位置に位置させる方向と、ドラムユニット９を本体ケーシング２に対して位置決めする方向とが同一である。
【０２１２】
そのため、内方位置において、本体ケーシング２の当接部１７１との接触により、シャッタ１３０を開放位置に位置させることができながら、ドラムユニット９を本体ケーシング２に対して確実に位置決めすることができる。
【０２１３】
また、内方位置において、本体ケーシング２の当接部１７１との接触により、シャッタ１３０を付勢部材１３１に抗して閉鎖位置から開放位置に移動させると、付勢部材１３１の反力が左方にかかるので、ドラムユニット９を本体ケーシング２に対してより確実に位置決めすることができる。
（２）また、この画像形成装置１によれば、図１２Ｃおよび図１２Ｄに示すように、ドラムユニット９を外方位置から内方位置に移動させることによって、突起部１３５の湾曲面１３９Ａを、当接部１７１の傾斜面１７４Ａに干渉させて、シャッタ１３０を回動させることができる。
【０２１４】
そのため、シャッタ１３０を回動させるための機構を設けることなく、ドラムユニット９の外方位置から内方位置への移動動作によって、シャッタ１３０を開放位置に位置させることができる。
（３）また、この画像形成装置１によれば、図６に示すように、ドラムユニット９が内方位置から外方位置へ向かう方向と、ドラムユニット９を本体ケーシング２に対して位置決めする方向とが直交しているので、当接部１７１の押圧面１７５Ａによって、突起部１３５の被押圧面１３８Ａを押すことによって、ドラムユニット９を外方位置に向かわせることなく、確実に内方位置に位置決めすることができる。
（４）また、この画像形成装置１によれば、図５Ａおよび図５Ｂに示すように、突起部１３５をＬ字形状にすることにより、突起部１３５の剛性を高めることができる。そして、図１２Ｃおよび図１２Ｄに示すように、高い剛性を有する突起部１３５の第３板１３８と第２板１３７との連続部分である湾曲部１３９の湾曲面１３９Ａを、当接部１７１の傾斜面１７４Ａに干渉させることで、シャッタ１３０を安定して回動させることができる。
（５）また、この画像形成装置１によれば、図１２Ｃおよび図１２Ｄに示すように、傾斜面１７４Ａが後方に向かうにつれ、下方に傾斜しているので、突起部１３５の湾曲面１３９Ａが本体ケーシング２の傾斜面１７４Ａに接触している間には、突起部１３５を下方に向けて移動させることができ、シャッタ１３０を確実に回動させることができる。
（６）また、この画像形成装置１によれば、図１１Ａおよび図１１Ｂに示すように、当接部１７１が第１摺擦面１７４Ｂと第２摺擦面１７６Ａとから構成されるガイド面を備えていることにより、突起部１３５を第１摺擦面１７４Ｂによって案内した後、第２摺擦面１７６Ａによって案内することで、突起部１３５の被押圧面１３８Ａを本体ケーシング２の押圧面１７５Ａまで案内することができ、シャッタ１３０を確実に開放位置に位置させることができる。
（７）また、この画像形成装置１によれば、図１２Ｂおよび図１４Ｄに示すように、ドラムユニット９は、外方位置から内方位置に移動するときに、後方だけでなく、下方にも移動し、本体ケーシング２に対して装着される。
【０２１５】
そのため、ドラムユニット９を本体ケーシング２に対して円滑に移動させることができる。
【０２１６】
また、ドラムユニット９に対して、内方位置から外方位置に向かう方向への力がかかることを抑制することができ、ドラムユニット９をより確実に本体ケーシング２に対して位置決めすることができる。
（８）また、この画像形成装置１によれば、図１２Ａおよび図１４Ｃに示すように、傾斜面１７４Ａの上下方向における寸法が、ドラムユニット９の第１内方位置から第２内方位置へ向かうときの上下方向における移動量よりも大きいので、突起部１３５の湾曲面１３９Ａを、本体ケーシング２の傾斜面１７４Ａに当接させることで、シャッタ１３０を確実に回動させることができる。
（９）また、この画像形成装置１によれば、図５Ａおよび図５Ｂに示すように、シャッタ１３０を、円筒形状を有する搬送管８０の第３搬送管１０５に対して回動させるという簡易な構成により、開放位置と閉鎖位置とに位置させることができる。
（１０）また、この画像形成装置１によれば、図２に示すように、ドラムユニット９は、４つの感光ドラム１１と、４つのクリーニングユニット３０と、すべてのクリーニングユニット３０と接続され、排出口１０７を有する搬送管８０とを備えている。
【０２１７】
そのため、このドラムユニット９では、感光ドラム１１の表面に付着したトナーをクリーニングユニット３０によって除去し、クリーニングユニット３０によって除去されたトナーを、搬送管８０の第３搬送管１０５の排出口１０７から排出することができる。
（１１）また、この画像形成装置１によれば、図４Ｂおよび図４Ｃに示すように、コイルばねからなる付勢部材１３１によってシャッタ１３０を付勢するという簡易な構成により、シャッタ１３０を閉鎖位置に向けて付勢することができる。
（１２）また、この画像形成装置１によれば、図１１Ａに示すように、当接部１７１の押圧面１７５Ａが平面であり、図５Ａに示すように、突起部１３５の被押圧面１３８Ａが平面であることにより、図１４Ｃに示すように、押圧面１７５Ａによって、被押圧面１３８Ａを確実に押すことができる。
【０２１８】
そのため、シャッタ１３０を確実に開放位置に位置させることができながら、ドラムユニット９を本体ケーシング２に対して確実に位置決めすることができる。
７．変形例
図１５Ａおよび図１５Ｂを参照して、本発明の変形例を説明する。なお、変形例において、上記した実施形態と同様の部材には、同様の符号を付し、その説明を省略する。
【０２１９】
上記した実施形態では、図２および図９に示すように、ドラムユニット９は、複数の感光ドラム１１および複数のクリーニングユニット３０を備えている。
【０２２０】
そして、ドラムユニット９では、クリーニングユニット３０によって感光ドラム１１の表面から除去されたトナーを搬送ユニット３１によって、廃トナー収容ユニット１５０へ搬送している。
【０２２１】
これに対して、本発明の変形例では、図１５Ａおよび図１５Ｂに示すように、画像形成装置１は、本体ケーシング２内に位置する内方位置と、本体ケーシング２外に位置する外方位置とに、前後方向に沿って移動可能なドラムユニットの一例としてのプロセスカートリッジ２００を備えている。
【０２２２】
プロセスカートリッジ２００は、図示しないが、内部に１つの感光ドラム１１および１つのクリーニングユニット３０を備えている。
【０２２３】
そして、プロセスカートリッジ２００では、クリーニングユニット３０によって感光ドラム１１の表面から除去されたトナーを、搬送ユニット２０３によって、廃トナー収容ユニット１５０へ搬送する。
【０２２４】
プロセスカートリッジ２００は、筐体２０２と、搬送ユニット２０３とを備えている。
【０２２５】
筐体２０２は、前後方向に延びる略ボックス形状を有している。筐体２０２は、その内部に、トナーを収容している。筐体２０２は、被位置決め部２１０を備えている。
【０２２６】
被位置決め部２１０は、筐体２０２の後端部に配置されている。被位置決め部２１０は、筐体２０２の後壁の左下端部から、後方に向かって突出する略円柱形状を有している。
【０２２７】
搬送ユニット２０３は、プロセスカートリッジ２００の後端部における右下端部に配置されている。搬送ユニット２０３は、開口の一例としての排出口２１４を有するフレームの一例としてのとしての搬送管２１３と、シャッタユニット８８とを備えている。
【０２２８】
搬送管２１３は、プロセスカートリッジ２００の後端部における右下端部に配置されている。搬送管２１３は、前後方向に延び、後端部が閉鎖された略円筒形状を有している。搬送管２１３は、その前端部において、筐体２０２と内外が連通されるように接続されている。
【０２２９】
排出口２１４は、搬送管２１３の後端部に配置されている。排出口２１４は、搬送管２１３の下方周壁を上下方向に貫通している。
【０２３０】
シャッタユニット８８は、上記した実施形態と同一の構成を有しており、シャッタ１３０のシャッタ本体１３３が、内部に搬送管２１３を受け入れている。
【０２３１】
本体ケーシング２は、本体基準板２２０を備えている。
【０２３２】
本体基準板２２０は、本体ケーシング２の後端部内に配置されている。本体基準板２２０は、載置部２２０Ａと、立設部２２０Ｂとを備えている。
【０２３３】
載置部２２０Ａは、本体基準板２２０の下端部に配置されている。載置部２２０Ａは、左右方向に延びる略角柱形状を有している。
【０２３４】
立設部２２０Ｂは、載置部２２０Ａの左端部から上方に向かって延びる略角柱形状を有している。
【０２３５】
そして、プロセスカートリッジ２００を本体ケーシング２に対して装着するときには、作業者は、上記した実施形態と同様に、開口２１を介してプロセスカートリッジ２００を後方へ押し込む。
【０２３６】
すると、プロセスカートリッジ２００は、本体ケーシング２内を後方へ移動する。
【０２３７】
これにより、プロセスカートリッジ２００の被位置決め部２１０が、本体基準板２２０の載置部２２０Ａに載置される。
【０２３８】
また、シャッタ１３０は、上記した実施形態と同様に、突起部１３５が本体ケーシング２の当接部１７１に対して接触することにより、正面視時計回りに回動し、閉鎖位置から開放位置に位置する。
【０２３９】
これにより、搬送管２１３の排出口２１４は、廃トナー収容ユニット１５０の導入管１６０の上端部に連結される。搬送管２１３は、排出口２１４を介して、廃トナー収容ユニット１５０の導入管１６０の上端部に連通される。
【０２４０】
そして、突起部１３５の被押圧面１３８Ａが、当接部１７１の押圧面１７５Ａと接触し、当接部１７１が突起部１３５を左方に向かって押圧することにより、被位置決め部２１０が本体基準板２２０の立設部２２０Ｂの右面に対して接触する。
【０２４１】
以上により、プロセスカートリッジ２００が本体ケーシング２に対して位置決めされる。
【０２４２】
そして、このような変形例においても、上記した実施形態と同様の作用効果を得ることができる。
【符号の説明】
【０２４３】
１        画像形成装置
２        本体ケーシング
９        ドラムユニット
１１      感光ドラム
３０      クリーニングユニット
８０      搬送管
１０７    排出口
１３０    シャッタ
１３１    付勢部材
１３３    シャッタ本体
１３５    突起部
１３７    第２板
１３８    第３板
１３８Ａ  被押圧面
１３９Ａ  湾曲面
１７４Ａ  傾斜面
１７４Ｂ  第１摺擦面
１７５Ａ  押圧面
１７６Ａ  第２摺擦面
２００    プロセスカートリッジ
２１３    搬送管
２１４    排出口
【図１】
0006421678.tif 000002
【図２】
0006421678.tif 000003
【図３】
0006421678.tif 000004
【図４】
0006421678.tif 000005
【図５】
0006421678.tif 000006
【図６】
0006421678.tif 000007
【図７】
0006421678.tif 000008
【図８】
0006421678.tif 000009
【図９】
0006421678.tif 000010
【図１０】
0006421678.tif 000011
【図１１】
0006421678.tif 000012
【図１２】
0006421678.tif 000013
【図１３】
0006421678.tif 000014
【図１４】
0006421678.tif 000015
【図１５】
0006421678.tif 000016